(57)【要約】【課題】  ディスプレイに表示されたコンテンツに対して操作者が手書きで文字を入力する場合に、コンテンツを適切な表示拡大率でディスプレイに表示させることができないという問題点がある。【解決手段】  原寸大のコンテンツにおける基準の手書き文字のサイズを示す基準文字サイズ情報と操作者の手書き文字のサイズを示す手書き文字サイズ情報とに基づいて、ディスプレイに表示する、操作者が閲覧する、コンテンツの表示拡大率を算出し、出力するコンテンツ拡大率算出手段と、表示拡大率に基づいた大きさでディスプレイにコンテンツを表示させる表示内容制御手段とを含む。【選択図】      図１
2012252459.tif 000002
【特許請求の範囲】
【請求項１】
原寸大のコンテンツにおける基準の手書き文字のサイズを示す基準文字サイズ情報と第１の操作者の手書き文字のサイズを示す手書き文字サイズ情報とに基づいて、ディスプレイに表示する、前記第１の操作者が閲覧する、コンテンツの表示拡大率を算出し、出力するコンテンツ拡大率算出手段と、
前記表示拡大率に基づいた大きさで前記ディスプレイに前記コンテンツを表示させる表示内容制御手段とを含む
表示制御装置。
【請求項２】
前記コンテンツ拡大率算出手段は、前記基準文字サイズ情報が示す文字のサイズと、前記手書き文字サイズ情報が示す文字のサイズで、前記表示拡大率で表示された前記コンテンツに手書きされた文字のサイズを原寸大の前記コンテンツ上の文字のサイズに換算したサイズとが、前記原寸大のコンテンツにおいて同一のサイズになるように前記表示拡大率を算出する
ことを特徴とする請求項１記載の表示制御装置。
【請求項３】
第２の操作者によって前記コンテンツに書き込まれた手書き文字のサイズに基づいて、前記基準文字サイズ情報を生成する他者文字サイズ測定手段を有する
ことを特徴とする請求項１または２記載の表示制御装置。
【請求項４】
複数の第２の操作者によって前記コンテンツに書き込まれた、複数の手書き文字のサイズの平均値に基づいて、前記基準文字サイズ情報を生成する他者文字サイズ測定手段を有する
ことを特徴とする請求項３記載の表示制御装置。
【請求項５】
前記第１の操作者によって前記コンテンツに書き込まれた手書き文字のサイズに基づいて、前記手書き基準文字サイズ情報を生成する手書き文字サイズ測定手段を有する
ことを特徴とする請求項１乃至４のいずれかに記載の表示制御装置。
【請求項６】
前記第１の操作者による手書き文字入力の開始操作に基づいて、前記コンテンツ拡大率算出手段に表示拡大率を算出することを要求する操作情報生成手段を有する
ことを特徴とする請求項１乃至５のいずれかに記載の表示制御装置。
【請求項７】
請求項１乃至６のいずれかに記載の表示制御装置と、
前記ディスプレイと、
前記手書き文字を入力するタッチパネルと、
前記タッチパネルに対する、前記第１の操作者の操作の内容を示す操作情報を生成する操作情報生成手段と、を含む
システム
【請求項８】
コンピュータが、
原寸大のコンテンツにおける基準の手書き文字のサイズを示す基準文字サイズ情報と第１の操作者の手書き文字のサイズを示す手書き文字サイズ情報とに基づいて、ディスプレイに表示する、前記第１の操作者が閲覧する、コンテンツの表示拡大率を算出し、出力し、
前記表示拡大率に基づいた大きさで前記ディスプレイに前記コンテンツを表示させる
表示制御方法。
【請求項９】
原寸大のコンテンツにおける基準の手書き文字のサイズを示す基準文字サイズ情報と第１の操作者の手書き文字のサイズを示す手書き文字サイズ情報とに基づいて、ディスプレイに表示する、前記第１の操作者が閲覧する、コンテンツの表示拡大率を算出し、出力する処理と、
前記表示拡大率に基づいた大きさで前記ディスプレイに前記コンテンツを表示させる処理とを
コンピュータに実行させるプログラム。
【発明の詳細な説明】
【技術分野】
【０００１】
本発明は、表示制御装置、システム、表示制御方法及びそのためのプログラムに関し、特に、表示拡大率を制御する表示制御装置、システム、表示制御方法及びそのためのプログラムに関する。
【背景技術】
【０００２】
タッチパネル付きディスプレイを備える端末などにおいて、手書き文字を入力するための、様々な関連技術が知られている。
【０００３】
特許文献１は、タッチパネル付きディスプレイ装置において、ディスプレイに拡大表示されたコンテンツ上に書き込まれた文字を、コンテンツの拡大率に対応する拡大率で書き込まれたものとする技術を開示している。特許文献１に記載のタッチパネル付きディスプレイ装置は、まず、コンテンツを表示しているタッチパネル付きディスプレイに、タッチペンなどが一定時間以上タッチされたことを検知し、指定された拡大率でコンテンツを拡大表示する。操作者は、この拡大表示されたコンテンツ上に文字を手書きする。その後、コンテンツの拡大表示が解除されると、このタッチパネル付きディスプレイ装置は、コンテンツの拡大表示解除に伴う表示縮小に対応して、手書き文字を縮小表示する。
【０００４】
尚、コンテンツとは、例えば、写真や図などの静止画、テキストや画像を含む文書、或いはビデオ映像などの動画である。
【０００５】
特許文献２は、通信会議方法及び通信会議端末装置において、表示画素数が異なる相手端末と自端末とに、共通な描画データを表示する技術を開示している。特許文献２に記載の通信会議端末装置は、まず、相手端末と自端末との表示画素数の比率に基づいて、自端末の描画入力データ（例えば、手書き文字の描画データ）を、拡大表示または縮小表示するように座標変換する。次に、この通信会議端末装置は、座標変換した描画入力データを相手端末へ送信する。また、この通信会議端末装置は、相手端末から描画入力データを受信した場合、自端末から描画入力データを送信する場合と逆に、拡大表示または縮小表示するように座標変換し、その座標変換した描画入力データに基づいて表示を更新する。
【０００６】
特許文献３は、手書き文字を入力することができる情報処理端末において、予め定められた文字サイズに近い大きさで手書きした文字を、予め定められた文字サイズで表示する技術を開示している。特許文献３に記載の情報処理端末は、まず手書きされた文字のサイズを判定し、その文字の拡大率を決定する。次に、この情報処理端末は、決定した拡大率で手書きされた文字を表示する。
【先行技術文献】
【特許文献】
【０００７】
【特許文献１】特開２００４−４６７９７号公報
【特許文献２】特開平８−２２８３２９号公報
【特許文献３】特開平５−２８２０９１号公報
【発明の概要】
【発明が解決しようとする課題】
【０００８】
しかしながら、上述した先行技術文献に記載された技術においては、ディスプレイに表示されたコンテンツに対して操作者が手書きで文字を入力する場合に、コンテンツを適切な表示拡大率でディスプレイに表示させることができないという問題点がある。適切な表示拡大率とは、操作者が手書きしやすい文字サイズで入力するのに適した、かつ、操作者が入力した手書き文字のサイズが他の操作者の手書き文字のサイズに対して操作者の意図に沿った関係を持つような、サイズでコンテンツを表示させる拡大率である。
【０００９】
コンテンツを適切な表示拡大率でディスプレイに表示させることができない理由は、以下のとおりである。
【００１０】
特許文献１が開示する技術は、操作者が設定した拡大率でコンテンツを表示する技術である。このような、タッチパネル付きディスプレイ装置に設定するコンテンツの拡大率を決定することは、ヒューリスティックな問題である。従って、操作者にとって適切な拡大率を決定することは、容易ではない。
【００１１】
特許文献２が開示する技術は、相手端末と自端末との表示画素数の比率に基づいて、描画入力データを座標変換する技術である。この技術では、操作者が意図する大きさにコンテンツを表示することは、できない。
【００１２】
特許文献３が開示する技術は、操作者が手書きした文字を、その手書きした文字のサイズに近い、予め定められた特定のサイズに変換する技術である。従って、コンテンツの表示サイズを変更することはできず、操作者が手書きしやすい、任意の文字サイズで入力することはできない。
【００１３】
次に、課題の背景について説明する。
【００１４】
例えばホワイトボードに複数人で文字を書き込むとき、人は一般的に、他者が書いた文字の大きさとほぼ同じになるように文字を書く。これは、自分の文字の大きさを他者が書いた文字の大きさに合わせることにより、文字同士の見た目のバランスがよくなり、視認性が上がるためである。
【００１５】
同様に、遠隔地にいるユーザ（操作者）間で、個々のユーザが持つタッチパネル付きディスプレイを備える端末上で、同じコンテンツを共有して作業することが考えられる。このような作業において、その共有コンテンツに文字を書き込むときにも、自分が書き込む文字の大きさを相手が書いた文字の大きさに合わせたい場合がある。
【００１６】
通常、個々のユーザが持つ端末の画面は、会議室にあるホワイトボードよりも小さい。そのため、ユーザが文字を書き込むときには、端末は、共有コンテンツの一部を表示する。そして、その一部が表示される共有コンテンツの表示サイズは、ユーザが書き込みやすい大きさで文字を入力した場合に、その入力した文字と他者が書いた文字との大きさが一致するような表示サイズであることが求められる。
【００１７】
そこで、複数人でコンテンツを共有するシステムの利便性を向上するために、共有するコンテンツ上に手書きで文字を入力するときに、それぞれのユーザの端末で表示しているコンテンツを、簡便な操作で上述のような表示サイズに拡大表示又は縮小表示できることが求められる。
【００１８】
以上が課題の背景である。
【００１９】
本発明の目的は、上述した問題点を解決する表示制御装置、システム、表示制御方法及びそのためのプログラムを提供することにある。
【課題を解決するための手段】
【００２０】
本発明の表示制御装置は、原寸大のコンテンツにおける基準の手書き文字のサイズを示す基準文字サイズ情報と第１の操作者の手書き文字のサイズを示す手書き文字サイズ情報とに基づいて、ディスプレイに表示する、前記第１の操作者が閲覧する、コンテンツの表示拡大率を算出し、出力するコンテンツ拡大率算出手段と、前記表示拡大率に基づいた大きさで前記ディスプレイに前記コンテンツを表示させる表示内容制御手段とを含む。
【００２１】
本発明の表示制御方法は、コンピュータが、原寸大のコンテンツにおける基準の手書き文字のサイズを示す基準文字サイズ情報と第１の操作者の手書き文字のサイズを示す手書き文字サイズ情報とに基づいて、ディスプレイに表示する、前記第１の操作者が閲覧する、コンテンツの表示拡大率を算出し、出力し、前記表示拡大率に基づいた大きさで前記ディスプレイに前記コンテンツを表示させる。
【００２２】
本発明のプログラムは、原寸大のコンテンツにおける基準の手書き文字のサイズを示す基準文字サイズ情報と第１の操作者の手書き文字のサイズを示す手書き文字サイズ情報とに基づいて、ディスプレイに表示する、前記第１の操作者が閲覧する、コンテンツの表示拡大率を算出し、出力する処理と、前記表示拡大率に基づいた大きさで前記ディスプレイに前記コンテンツを表示させる処理とをコンピュータに実行させる。
【発明の効果】
【００２３】
本発明は、ディスプレイに表示されたコンテンツに対して操作者が手書きで文字を入力する場合に、コンテンツを適切な表示拡大率でディスプレイに表示させることが可能になるという効果がある。
【図面の簡単な説明】
【００２４】
【図１】本発明の第１の実施形態に係る表示制御装置の構成を示すブロック図である。
【図２】本発明の第１の実施形態における手書き文字サイズ情報の例を示す図である。
【図３】本発明の第１の実施形態における基準文字サイズ情報の例を示す図である。
【図４】本発明の第１の実施形態に係るコンテンツ共有システムの構成を示すブロック図である。
【図５】本発明の第１の実施形態における操作情報の例を示す図である。
【図６】本発明の第１の実施形態における表示制御装置の動作を示すフローチャートである。
【図７】本発明の第１の実施形態におけるプログラムにより所定の処理をコンピュータに実行させる表示制御装置の構成を示すブロック図である。
【図８】本発明の第２の実施形態に係るコンテンツ共有システムの構成を示すブロック図である。
【図９】本発明の第３の実施形態に係る表示制御装置の構成を示すブロック図である。
【図１０】本発明の第１の実施形態における表示制御装置の動作を示すフローチャートである。
【図１１】本発明の第４の実施形態に係る表示制御装置の構成を示すブロック図である。
【図１２】本発明の第５の実施形態に係るコンテンツ共有システムの構成を示すブロック図である。
【発明を実施するための形態】
【００２５】
次に、本発明の実施形態について図面を参照して詳細に説明する。
【００２６】
［第１の実施の形態］
図１は、本発明の第１の実施形態の構成を示すブロック図である。
【００２７】
図１を参照すると、本実施形態に係る表示制御装置１１０は、表示内容制御部１０３とコンテンツ拡大率算出部１０６とを含む。
【００２８】
コンテンツ拡大率算出部１０６は、基準文字サイズ情報と手書き文字サイズ情報とに基づいて、ディスプレイ（図１には図示しない）に表示するコンテンツの表示拡大率を算出する。次に、コンテンツ拡大率算出部１０６は、算出した表示拡大率を拡大率情報として、表示内容制御部１０３に出力する。
【００２９】
手書き文字サイズ情報は、特定の操作者の手書き文字のサイズを示す情報である。手書き文字サイズ情報は、例えば、端末２１０及び端末２２０を使用する操作者それぞれの手書き文字の大きさ（例えば、文字の高さ）を示す情報である。図２は、手書き文字サイズ情報１６１の例を示す図である。図２を参照すると、例えば、手書き文字サイズ情報１６１は、９ミリメートルである。
【００３０】
基準文字サイズ情報は、原寸大のコンテンツにおける基準の手書き文字のサイズを示す情報である。基準文字サイズ情報１６２は、例えば、原寸大のコンテンツにおける手書き文字の基準の大きさ（例えば、文字の高さ）を示す情報である。図３は、手書き文字サイズ情報１６１の例を示す図である。図３を参照すると、例えば、基準文字サイズ情報１６２は、６ミリメートルである。
【００３１】
表示拡大率は、例えば、コンテンツを原寸大で表示する場合を「１（１００％）」とした場合の、原寸に対する倍率を示す、任意の正の実数である。例えば、表示拡大率が「１．３」の場合、コンテンツは原寸の１．３倍の寸法(サイズ）で表示される。例えば、表示拡大率が「０．５」の場合、コンテンツは原寸の半分の寸法で表示される。
【００３２】
コンテンツ拡大率算出部１０６は、例えば、手書き文字サイズ情報を基準文字サイズで除し、表示拡大率を算出する。コンテンツ拡大率算出部１０６は、例えば、図２に示す手書き文字サイズ情報１６１と図３に示す基準文字サイズ情報１６２とに基づいて、表示拡大率を１．５（９ミリメートル÷６ミリメートル＝１．５）と算出する。この場合、コンテンツ拡大率算出部１０６が算出する表示拡大率は、原寸大のコンテンツにおいて、基準文字サイズ情報が示す文字のサイズと、原寸大入力文字サイズとが、同一のサイズになるような表示拡大率である。原寸大入力文字サイズは、コンテンツ拡大率算出部１０６が算出した表示拡大率（例えば、「１．５」倍）で表示されたコンテンツに、手書き文字サイズ情報が示す文字のサイズ（例えば、「９ミリメートル」の高さ）で手書きされた文字のサイズを、原寸大のコンテンツ上における文字のサイズに換算したサイズ（例えば、９ミリメートル÷１．５＝６ミリメートル）である。
【００３３】
尚、コンテンツ拡大率算出部１０６は、基準文字サイズ情報が示す文字のサイズと原寸大入力文字サイズとが、同一のサイズになるような表示拡大率以外の表示拡大率を算出するようにしてもよい。例えば、コンテンツ拡大率算出部１０６は、原寸大入力文字サイズが、基準文字サイズ情報が示す文字のサイズの、半分のサイズになるように表示拡大率を算出してもよい。即ち、図２に示す手書き文字サイズ情報１６１と図３に示す基準文字サイズ情報１６２との場合、コンテンツ拡大率算出部１０６は、表示拡大率を３（９ミリメートル÷６ミリメートル×２＝３）と算出するようにしてもよい。
【００３４】
表示内容制御部１０３は、受け取った拡大率情報に基づいて、ディスプレイにコンテンツを表示させる。
【００３５】
図４は、本実施形態に係るコンテンツ共有システム１９０の構成を示す図である。
【００３６】
図４を参照すると、本実施形態に係るコンテンツ共有システムは、端末２１０及び端末２２０を含む。端末２１０と端末２２０とは、通信路３００を介して、接続される。
【００３７】
端末２１０及び端末２２０それぞれは、表示制御装置１１０、コンテンツ指定部２０１、操作情報生成部２０５、タッチパネル２０８及びディスプレイ２０９を含む。
【００３８】
コンテンツ指定部２０１は、操作者によるコンテンツの指定を受け取り、指定されたコンテンツの保存先を含むコンテンツ情報を表示内容制御部１０３に渡す。尚、コンテンツは、例えば、端末２１０及び端末２２０それぞれに含まれる図示しない記憶手段に保存されている。
【００３９】
操作情報生成部２０５は、タッチパネル２０８のセンサ（図示しない）によって、入力デバイス（図示しない、例えばタッチペン）の接触を検出し、操作者が描画するためにタッチパネル２０８上をドラッグ（タッチパネル２０８にタッチしたまま上下左右に移動する動作）したり、コンテンツの表示内容を変更するためにタッチパネル２０８をタップ（タッチパネル２０８上を軽くつつく動作）したりしたときに、操作情報を生成する。操作情報は、例えば、タッチペンが接触しているタッチパネル２０８上の座標を、予め定められた時間（例えば、１０ミリ秒）間隔で記録した情報である。
【００４０】
次に、操作情報生成部２０５は、生成した操作情報を表示内容制御部２０３に出力する。尚、他方の端末とは、端末２１０においては端末２２０であり、端末２２０においては端末２１０である(以下同様）。
【００４１】
図５は、操作情報２５１の例を示す図である。図５に示す操作情報２５１は、ディスプレイ２０９の表示領域の「Ｘ−Ｙ」座標情報である。図５に示す操作情報２５１の例は、始点「５１−４９」から終点「６８−２４」まで、１６０ミリ秒かけて、タッチペンをドラッグしたことを示す。
【００４２】
更に、操作情報生成部２０５は、例えば、タッチペンがタッチパネル２０８上のある点に予め定められた時間（例えば、３秒間）接触していることを検出した場合、手書き入力のためのコンテンツの拡大指示であると判断し、コンテンツ拡大率算出部１０６に、拡大率要求を出力する。
【００４３】
表示内容制御部１０３は、コンテンツ指定部２０１及び他方の端末から、コンテンツ情報を受け取る。
【００４４】
次に、表示内容制御部１０３は、受け取ったコンテンツ情報に基づいて、ディスプレイ２０９の表示領域内に、初期拡大率でコンテンツを表示させる。初期拡大率とは、コンテンツを表示する拡大率の初期値である。初期拡大率は、例えば、ディスプレイ２０９の表示領域内にコンテンツの１ページ全体を表示するような拡大率である。この場合、初期拡大率は、ディスプレイ２０９の表示領域のサイズに対応した可変値である。また、初期拡大率は、固定値の「１００％」とし、コンテンツを原寸大で表示するようにしてもよい。表示内容制御部１０３は、例えば、図示しない記憶手段に初期拡大率を保持する。
【００４５】
また、表示内容制御部１０３は、コンテンツ指定部２０１からコンテンツ情報を受け取った場合、そのコンテンツ情報を他方の端末に送信する。
【００４６】
更に、表示内容制御部１０３は、操作情報生成部２０５から、操作者が操作した内容を示す操作情報を受け取る。また、表示内容制御部１０３は、他方の端末からも、他方の端末の操作者が操作した内容を示す操作情報を受け取る。
【００４７】
次に、表示内容制御部１０３は、受け取った操作情報に基づいて、ディスプレイ２０９の表示を更新する。操作情報は、例えば、操作者がタッチパネル２０８に接触して描画した描画データや、コンテンツの表示内容を変更するための指示データである。同時に、表示内容制御部１０３は、他方の端末に、操作情報生成部２０５から受け取った操作情報を送信する。
【００４８】
更に、表示内容制御部１０３は、既に説明したように、コンテンツ拡大率算出部１０６から拡大率情報を受け取る。次に、表示内容制御部１０３は、受け取った拡大率情報に基づいて、ディスプレイ２０９に表示中のコンテンツの表示を、サイズを変更した表示に更新する。
【００４９】
尚、表示内容制御部１０３は、操作情報生成部２０５から受け取った、予め定められた特定の操作情報を操作者によるコンテンツの指定として受け取り、コンテンツ情報を生成するようにしてもよい。この場合、コンテンツ指定部２０１は、端末２１０及び端末２２０に含まれなくてもよい。
【００５０】
また、表示内容制御部１０３は、操作情報生成部２０５から受け取った操作情報が、手書き入力のためのコンテンツの拡大指示を示す操作情報であった場合、コンテンツ拡大率算出部１０６に、拡大率要求を出力するようにしてもよい。この場合、操作情報生成部２０５は、コンテンツ拡大率算出部１０６に、拡大率要求を出力する処理を実行しないようにしてもよい。
【００５１】
コンテンツ拡大率算出部１０６は、例えば、操作情報生成部２０５から拡大率要求を受けると、既に説明したように手書き文字サイズ情報と基準文字サイズ情報とに基づいて、表示拡大率を算出する。
【００５２】
次に本実施形態の動作について、図１〜図６を参照して詳細に説明する。
【００５３】
ここでは、図４に示すコンテンツ共有システム１９０における、端末２１０の動作を例に説明する。
【００５４】
図６は、本実施形態の動作を示すフローチャートである。
【００５５】
本処理は、操作者によりコンテンツを指定され、表示を指示されたことを契機に、動作を開始する。
【００５６】
まず、コンテンツ指定部２０１は、指定されたコンテンツの有無を確認する（Ｓ１０１）。指定されたコンテンツが存在する場合（Ｓ１０１でＹＥＳ）、処理はＳ１０５へ進む。指定されたコンテンツが存在しない場合（Ｓ１０１でＮＯ）、処理はＳ１０３へ進む。
【００５７】
Ｓ１０３において、コンテンツ指定部２０１は、ディスプレイ２０９にコンテンツが存在しない旨を表示させる（Ｓ１０３）。そして、処理は終了する。
【００５８】
Ｓ１０５において、コンテンツ指定部２０１は、コンテンツの保存先を含むコンテンツ情報を表示制御部１０３に出力する（Ｓ１０５）。
【００５９】
次に、表示内容制御部１０３は、受け取ったコンテンツ情報に基づいて、ディスプレイ２０９の表示領域内にコンテンツを表示させる（ステップＳ１０７）。尚、表示内容制御部１０３は、最初にコンテンツを表示する場合、初期拡大率を使用する。
【００６０】
次に、操作情報生成部２０５は、操作者によるタッチパネル２０８に対する操作に対応する操作情報を生成する（Ｓ１１１）。
【００６１】
続けて、操作情報生成部２０５は、操作者によるタッチパネル２０８に対する操作が手書き入力のためのコンテンツの拡大指示であるか否かを判断する（Ｓ１１３）。
【００６２】
操作情報が手書き入力のためのコンテンツの拡大指示である場合（Ｓ１１３でＹＥＳ）、操作情報生成部２０５は、コンテンツ拡大率算出部１０６に、拡大率要求を出力する（Ｓ１１５）。
【００６３】
次に、コンテンツ拡大率算出部１０６は、拡大率要求を受け取ると、手書き文字サイズ情報と基準文字サイズ情報とに基づいて、表示中のコンテンツに対する表示拡大率を算出し、算出した表示拡大率を拡大率情報として表示内容制御部１０３に出力する（Ｓ１１７）。
【００６４】
次に、表示内容制御部１０３は、表示中のコンテンツの表示を、受け取った拡大率情報に基づいてサイズを変更した表示に更新する（Ｓ１１９）。そして処理は、Ｓ１１１へ戻る。
【００６５】
操作情報が手書き入力のためのコンテンツの拡大指示でない場合（Ｓ１１３でＮＯ）、操作情報生成部２０５は、表示内容制御部１０３へ操作情報を出力する（Ｓ１２１）。
【００６６】
次に、表示内容制御部１０３は、受け取った操作情報に基づいて、ディスプレイ２０９の表示を更新する（Ｓ１３１）。そして、処理は、Ｓ１１１へ戻る。尚、操作情報がコンテンツの表示の終了を指示する操作情報である場合、処理は終了する。
【００６７】
表示制御装置１１０は、汎用的なコンピュータによって構成される表示制御装置であってもよい。
【００６８】
図７は、本実施形態における、プログラムにより所定の処理をコンピュータに実行させる表示制御装置１１１の構成を示すブロック図である。
【００６９】
図７を参照すると、表示制御装置１１１は、ＣＰＵ（Ｃｅｎｔｒａｌ  Ｐｒｏｃｅｓｓｉｎｇ  Ｕｎｉｔ）７１０、不揮発性記憶部７２０、記憶部７３０及び通信部７５０を備えている。
【００７０】
図１に示す表示制御装置１１０の表示内容制御部１０３及びコンテンツ拡大率算出部１０６は、ＣＰＵ７１０と不揮発性記憶部７２０と記憶部７３０とに対応する。
【００７１】
ＣＰＵ７１０は、不揮発性記憶部７２０に格納されたプログラムを、例えば、記憶部７３０に展開し、展開したプログラムに基づいて、表示内容制御部１０３及びコンテンツ拡大率算出部１０６と同様の処理を実行する。
【００７２】
不揮発性記憶部７２０は、そのプログラムを記憶する。
【００７３】
記憶部７３０は、展開されたそのプログラムを記憶する。
【００７４】
通信部７５０は、表示内容制御部１０３及びコンテンツ拡大率算出部１０６に含まれる。
【００７５】
以上が、汎用的なコンピュータによって構成される表示制御装置１１１の説明である。
【００７６】
上述した本実施形態における第１の効果は、ディスプレイに表示されたコンテンツに対して操作者が手書きで文字を入力する場合に、コンテンツを適切な表示拡大率でディスプレイに表示させることを可能にする点である。
【００７７】
その理由は、コンテンツ拡大率算出部１０６が、基準文字サイズ情報と手書き文字サイズ情報とに基づいて、ディスプレイに表示するコンテンツの表示拡大率を算出するようにしたからである。
【００７８】
上述した本実施形態における第２の効果は、コンテンツ上に記載された、各操作者の手書き文字のサイズを統一することを可能にする点である。
【００７９】
その理由は、コンテンツ拡大率算出部１０６が、原寸大のコンテンツにおいて、基準文字サイズ情報が示す文字のサイズと、原寸大入力文字サイズとが、同一のサイズになるような表示拡大率を算出するようにしたからである。
【００８０】
［第２の実施形態］
次に、本発明の第２の実施形態について図面を参照して詳細に説明する。以下、本実施形態の説明が不明確にならない範囲で、前述の説明と重複する内容については説明を省略する。
【００８１】
図８は、本実施形態に係るコンテンツ共有システム２９０の構成を示す図である。
【００８２】
図８を参照すると、本実施形態に係るコンテンツ共有システム２９０は、端末４１０、端末４２０、端末４３０及びサーバ５００を含む。端末２３０、端末２４０及び端末２５０それぞれは、サーバ５００と通信路３００を介して、接続される。
【００８３】
端末４１０、端末４２０及び端末４３０それぞれは、コンテンツ指定部２０１、タッチパネル２０８、ディスプレイ２０９及びサーバインタフェース部２０２を含む。
【００８４】
サーバ５００は、図１に示す表示制御装置１１０、操作情報生成部２０５及び端末インタフェース部５０２を含む。
【００８５】
コンテンツ指定部２０１、タッチパネル２０８、ディスプレイ２０９、表示制御装置１１０及び操作情報生成部２０５は、以下の点を除いて、第１の実施形態で説明したものと同様である。
【００８６】
コンテンツ指定部２０１、タッチパネル２０８及びディスプレイ２０９と、表示制御装置１１０及び操作情報生成部２０５とは、サーバインタフェース部２０２及び端末インタフェース部５０２を介して、情報を授受する。
【００８７】
例えば、コンテンツ指定部２０１、タッチパネル２０８及びディスプレイ２０９は、サーバインタフェース部２０２に対して、表示制御装置１１０及び操作情報生成部２０５に対する入出力を実行する。サーバインタフェース部２０２は、コンテンツ指定部２０１、タッチパネル２０８及びディスプレイ２０９に対する入出力と端末インタフェース部５０２に対する送受信とを中継する。
【００８８】
また、表示制御装置１１０及び操作情報生成部２０５は、端末インタフェース部５０２に対して、コンテンツ指定部２０１、タッチパネル２０８及びディスプレイ２０９に対する入出力を実行する。端末インタフェース部５０２は、表示制御装置１１０及び操作情報生成部２０５に対する入出力と、サーバインタフェース部２０２に対する送受信とを中継する。
【００８９】
以上の点が、コンテンツ指定部２０１、タッチパネル２０８、ディスプレイ２０９、表示制御装置１１０及び操作情報生成部２０５の第１の実施形態で説明したものと異なる点である。
【００９０】
次に、本実施形態における、サーバインタフェース部２０２及び端末インタフェース部５０２の動作の一例を説明する。
【００９１】
端末２３０のサーバインタフェース部２０２は、例えば、端末２３０のコンテンツ指定部２０１が出力したコンテンツ情報を受け取り、これを端末インタフェース部５０２に送信する。
【００９２】
次に、端末インタフェース部５０２は、端末２３０のサーバインタフェース部２０２から受信したコンテンツ情報を表示内容制御部１０３に出力する。
【００９３】
次に、端末インタフェース部５０２は、出力したコンテンツ情報に応答して表示内容制御部１０３がディスプレイ２０９に出力する、ディスプレイ２０９にコンテンツを表示させる、情報を受け取る。
【００９４】
次に、端末インタフェース部５０２は、表示内容制御部１０３から受け取った、ディスプレイ２０９にコンテンツを表示させる情報を、端末２４０及び端末２５０のサーバインタフェース部２０２に送信する。
【００９５】
次に、端末２４０及び端末２５０それぞれのサーバインタフェース部２０２は、受け取ったディスプレイ２０９にコンテンツを表示させる情報に基づいて、端末２４０及び端末２５０それぞれのディスプレイ２０９にコンテンツを表示させる。
【００９６】
以上が、本実施形態における、サーバインタフェース部２０２及び端末インタフェース部５０２の動作の一例を説明である。サーバインタフェース部２０２及び端末インタフェース部５０２は、周知の技術で実現されるため、他の動作の例については、説明を省略する。
【００９７】
上述した本実施形態における第１の効果は、第１の実施の形態の効果に加えて、３以上の端末で同じコンテンツを共有して作業する場合にも、第１の実施形態と同様の効果を得ることができる点である。
【００９８】
その理由は、端末にサーバインタフェース部２０２を備え、サーバ５００に端末インタフェース部５０２を備え、サーバ５００を介してコンテンツ情報や操作情報を複数の端末に配信するようにしたからである。
【００９９】
上述した本実施形態における第２の効果は、端末の処理負荷を軽減することが可能になる点である。
【０１００】
その理由は、端末にサーバインタフェース部２０２を備え、サーバ５００に端末インタフェース部５０２及び表示制御装置１１０を備え、サーバ５００側で表示内容制御部１０３及びコンテンツ拡大率算出部１０６の処理を実行するようにしたからである。
【０１０１】
［第３の実施形態］
次に、本発明の第３の実施形態について図面を参照して詳細に説明する。以下、本実施形態の説明が不明確にならない範囲で、前述の説明と重複する内容については説明を省略する。
【０１０２】
図９は、本発明の第３の実施形態に係る表示制御装置１３０の構成を示すブロック図である。
【０１０３】
本実施形態の表示制御装置１３０は、第１の実施形態の表示制御装置１１０に比べて、他者文字サイズ測定部３０４を更に含む点が異なる。また、本実施形態の表示制御装置１３０は、第１の実施形態の表示制御装置１１０に比べて、コンテンツ拡大率算出部１０６に替えてコンテンツ拡大率算出部３０６を含む点が異なる。
【０１０４】
コンテンツ拡大率算出部３０６は、操作情報生成部２０５から拡大率要求を受け取ると、他者文字サイズ測定部３０４に対し、他者文字サイズ要求を出力する。
【０１０５】
また、コンテンツ拡大率算出部３０６は、他者文字サイズ測定部３０４から受け取った他者文字サイズ情報を基準文字サイズ情報とし、表示拡大率を算出する。
【０１０６】
尚、コンテンツ拡大率算出部３０６は、他者文字サイズ測定部３０４から他者文字サイズ情報を受け取れなかった場合、予め定められた値を基準文字サイズ情報として使用するようにしてもよい。
【０１０７】
また、コンテンツ拡大率算出部３０６は、他者文字サイズ測定部３０４から他者文字サイズ情報を受け取れなかった場合、表示内容制御部１０３を介して、他者文字サイズ不明を示す情報を図示しないディスプレイに表示させる。この場合、例えば、表示制御装置１３０を搭載した端末の操作者は、図示しない手段により任意の拡大率でコンテンツを表示させるようにしてもよい。
【０１０８】
他者文字サイズ測定部３０４は、他者文字サイズ要求を受け取ると、コンテンツ上に存在する他の操作者の手書き文字のサイズを、測定する。次に、他者文字サイズ測定部３０４は、測定した他の操作者の手書き文字のサイズを他者文字サイズ情報として、コンテンツ拡大率算出部３０６に出力する。尚、他者文字サイズ測定部３０４は、コンテンツ上に他の操作者の手書き文字を検出できなかった場合、他者文字サイズ情報の提供不可を示す情報をコンテンツ拡大率算出部３０６に出力する。
【０１０９】
他者文字サイズ測定部３０４は、例えば、コンテンツに含まれる操作者の手書き文字であることを示すメタ情報を参照して他の操作者の手書き文字を検出する。尚、他者文字サイズ測定部３０４は、画像認識処理により手書き文字を検出するようにしてもよい。
【０１１０】
他者文字サイズ測定部３０４は、コンテンツ上に複数の他の操作者が文字を書き込んでいる場合、それら複数の他の操作者が書き込んだ文字の大きさを測定し、その複数の測定値の平均値を他者文字サイズ情報とする。
【０１１１】
次に、本実施形態の動作について、図９及び図１０を参照して詳細に説明する。
【０１１２】
本実施形態における動作は、第１の実施形態の動作を示すフローチャートである図６に示すフローチャートのＳ１２１が、図１０に示すフローチャートのＳ２０１〜Ｓ２２５に置き換わる。
【０１１３】
図１０は、本実施形態における、表示拡大率を算出する動作を示すフローチャートである。
【０１１４】
コンテンツ拡大率算出部３０６は、操作情報生成部２０５から拡大率要求を受けると、他者文字サイズ測定部３０４に対し、他者文字サイズ要求を出力する（Ｓ２０１）。
【０１１５】
次に、他者文字サイズ測定部３０４は、表示中のコンテンツのページ上に他者が書いた文字が存在するか否かを確認する（Ｓ２０３）。
【０１１６】
他者が書いた文字が存在する場合（Ｓ２０３でＹＥＳ）、処理はＳ２２１へ進む。
【０１１７】
他者が書いた文字が存在しない場合（Ｓ２０３でＮＯ）、他者文字サイズ測定部３０４は、そのコンテンツの表示していないページに他者が書いた文字が存在するか否かを確認する（Ｓ２０５）。
【０１１８】
他者が書いた文字が存在する場合（Ｓ２０５でＹＥＳ）、処理はＳ２２１へ進む。
【０１１９】
他者が書いた文字が存在しない場合（Ｓ２０５でＮＯ）、他者文字サイズ測定部３０４は、他者文字サイズ情報の提供不可を示す情報をコンテンツ拡大率算出部３０６に出力する（Ｓ２０７）。
【０１２０】
次に、コンテンツ拡大率算出部３０６は、表示内容制御部１０３を介して、他者文字サイズ不明を示す情報を図示しないディスプレイに表示させる（Ｓ２０９）。
【０１２１】
Ｓ２２１において、他者文字サイズ測定部３０４は、その他者が書いた文字のサイズを測定する（Ｓ２２１）。
【０１２２】
次に、他者文字サイズ測定部３０４は、測定した文字のサイズを他者文字サイズ情報として、コンテンツ拡大率算出部３０６に出力する（Ｓ２２３）。
【０１２３】
次に、コンテンツ拡大率算出部３０６は、他者文字サイズ測定部３０４から受け取った他者文字サイズ情報を基準文字サイズ情報とし、この基準文字サイズ情報及び手書き文字サイズ情報とに基づいて、表示拡大率を算出する（Ｓ２２５）。そして、処理は終了する。
【０１２４】
以上が、本実施形態の動作の説明である。
【０１２５】
本実施形態の表示制御装置１３０は、第１の実施形態の表示制御装置１１０に替えて、コンテンツ共有システム１９０及びコンテンツ共有システム２９０に適用してもよい。
【０１２６】
上述した本実施形態における効果は、第１の実施形態及び第２の実施形態の効果に加えて、コンテンツ上に最初に入力された手書き文字のサイズを基準文字サイズとすることを可能にする点である。
【０１２７】
その理由は、以下のような構成を含むからである。即ち、第１に他者文字サイズ測定部３０４がコンテンツ上に存在する他の操作者の手書き文字のサイズを測定し、他者文字サイズ情報を出力する。第２に、コンテンツ拡大率算出部３０６は、他者文字サイズ情報を基準文字サイズ情報とし、表示拡大率を算出する。
【０１２８】
［第４の実施形態］
次に、本発明の第４の実施形態について図面を参照して詳細に説明する。以下、本実施形態の説明が不明確にならない範囲で、前述の説明と重複する内容については説明を省略する。
【０１２９】
図１１は、本発明の第４の実施形態に係る表示制御装置１４０の構成を示すブロック図である。
【０１３０】
本実施形態の表示制御装置１４０は、第１の実施形態の表示制御装置１１０に比べて、手書き文字サイズ測定部４０４を更に含む点が異なる。また、本実施形態の表示制御装置１４０は、第１の実施形態の表示制御装置１１０に比べて、コンテンツ拡大率算出部１０６に替えてコンテンツ拡大率算出部４０６を含む点が異なる。
【０１３１】
手書き文字サイズ測定部４０４は、図１１には図示しない操作情報生成部から操作情報を取得し、取得した操作情報に基づいて図１１には図示しないタッチパネルに書かれた文字の大きさを計測する。
【０１３２】
次に、手書き文字サイズ測定部４０４は、計測した文字の大きさを手書き文字サイズ情報としてコンテンツ拡大率算出部４０６に出力する。
【０１３３】
手書き文字サイズ測定部４０４は、例えば、表示制御装置１４０が動作を開始した後、初めて操作者が手書き文字を入力した場合に文字の大きさを計測する。
【０１３４】
尚、手書き文字サイズ測定部４０４は、例えば、コンテンツ拡大率算出部４０６からの手書き文字サイズ情報要求を受け取った場合に、手書きされた文字の大きさを計測するようにしてもよい。この場合、コンテンツ拡大率算出部４０６は、操作情報生成部から拡大率要求を受け取った場合に、手書き文字サイズ測定部４０４に対し、手書き文字サイズ情報要求を出力するようにしてもよい。同時に、コンテンツ拡大率算出部４０６は、表示内容制御部１０３を介して図１１には図示しないディスプレイに手書き文字入力要求を表示させるようにしてもよい。
【０１３５】
コンテンツ拡大率算出部４０６は、例えば、コンテンツ拡大率算出部４０６内の図示しない記憶手段に、受け取った手書き文字サイズ情報を保持する。
【０１３６】
本実施形態の表示制御装置１４０は、第１の実施形態の表示制御装置１１０に替えて、コンテンツ共有システム１９０及びコンテンツ共有システム２９０に適用してもよい。
【０１３７】
上述した本実施形態における効果は、第１の実施形態及び第２の実施形態の効果に加えて、手書き文字サイズ情報を容易に取得することを可能にする点である。
【０１３８】
その理由は、手書き文字サイズ測定部４０４が、操作者が手書きした文字の大きさを計測するようにしたからである。
【０１３９】
［第５の実施形態］
次に、本発明の第５の実施形態について図面を参照して詳細に説明する。以下、本実施形態の説明が不明確にならない範囲で、前述の説明と重複する内容については説明を省略する。
【０１４０】
本発明の第５の実施形態は、タブレット端末で動作する、コンテンツ共有システムである。
【０１４１】
本システムにおいて、ユーザ（操作者）は、タッチパネル付きディスプレイを備えるタブレット端末を使用して、プレゼンテーションの原稿を表示し、その原稿にコメントを記入するために、タッチペンを用いて手書き文字を入力する。
【０１４２】
図１２は、本実施形態に係るコンテンツ共有システム５９０の構成を示すブロック図である。
【０１４３】
図１２に示すように本実施形態に係るコンテンツ共有システム５９０は、タブレット端末２６０及びタブレット端末２７０を含む。タブレット端末２６０とタブレット端末２７０とは、インターネット３１０を介して、接続される。
【０１４４】
タブレット端末２６０とタブレット端末２７０とは、コンテンツ指定プログラム６０１と表示内容制御プログラム６０３と文字サイズ測定プログラム６０４と操作情報生成プログラム６０５とコンテンツ拡大率算出プログラム６０６とを含む。尚、タブレット端末２６０とタブレット端末２７０とは、タッチパネル付きディスプレイ（図示しない）を備えている。
【０１４５】
上述の各プログラムは、タブレット端末２６０及びタブレット端末２７０それぞれが備えるハードディスク（図示しない）に格納される。これらの各プログラムは、タブレット端末２６０及びタブレット端末２７０が備えるＣＰＵ（図示しない）によって、メモリ（図示しない）上に展開され、実行される。また、タッチパネル式ディスプレイは、データの表示機能と入力機能を備えている。タッチパネル式ディスプレイと、コンテンツ指定プログラム６０１、表示内容制御プログラム６０３、文字サイズ測定プログラム６０４及び操作情報生成プログラム６０５との間で、データの入出力が行われる。
【０１４６】
コンテンツ指定プログラム６０１、表示内容制御プログラム６０３及び操作情報生成プログラム６０５それぞれは、第１の実施形態のコンテンツ指定部２０１、表示内容制御部２０３及び操作情報生成部２０５それぞれに対応する。
【０１４７】
コンテンツ拡大率算出プログラム６０６は、第１の実施形態のコンテンツ拡大率算出部１０６に対応し、更に第３の実施形態のコンテンツ拡大率算出部３０６と第４の実施形態のコンテンツ拡大率算出部４０６との両方の機能を含む。
【０１４８】
文字サイズ測定プログラム６０４は、第３の実施形態の他者文字サイズ測定部３０４及び手書き文字サイズ測定部４０４に対応する。
【０１４９】
タッチパネル付きディスプレイは、第１の実施形態のタッチパネル２０８及びディスプレイ２０９に対応する。
【０１５０】
次に、ユーザの操作と関連付け、具体的な例を示して本実施形態の動作を説明する。
【０１５１】
タブレット端末２６０において、ユーザによりコンテンツ共有アプリケーションを起動されると、文字サイズ測定プログラム６０４は、手書き文字サイズ情報を生成する。
【０１５２】
例えば、文字サイズ測定プログラム６０４は、表示内容制御部１０３を介してディスプレイ（図示しない）に、タッチパネル上に３つのサンプル文字「あ」「Ａ」「有」を手書きすることの要求を表示させる。
【０１５３】
ユーザがタッチパネル上にサンプル文字を書くと、文字サイズ測定プログラム６０４は、３つの文字の大きさを測定し、その測定値の平均値を算出する。次に、文字サイズ測定プログラム６０４は、例えば、文字の縦サイズの平均値が２センチメートルであった場合、手書き文字サイズ情報として「２センチメートル」を図示しない記憶手段に記録する。
【０１５４】
同様にして、タブレット端末２７０において、ユーザによりコンテンツ共有アプリケーションを起動されると、文字サイズ測定プログラム６０４は、手書き文字サイズ情報を生成する。文字サイズ測定プログラム６０４は、例えば、文字の縦サイズの平均値が１．５センチメートルであった場合、手書き文字サイズ情報として「１．５センチメートル」を図示しない記憶手段に記憶する。
【０１５５】
次に、タブレット端末２６０を利用するユーザにより、タブレット端末２６０内の図示しない記憶手段に記録された文書ファイルを指定されると、コンテンツ指定プログラム６０１は、指定された文書ファイルを確認して、文書ファイルの保存先を含むコンテンツ情報を表示内容制御プログラム６０３に渡す。尚、本説明では、ユーザが指定した文書ファイルは、１ページの文書ファイルであり、この時点で、手書き文字は含まれていないものとする。
【０１５６】
次に、表示内容制御プログラム６０３は、コンテンツ指定プログラム６０１からコンテンツ情報を受け取ると、タブレット端末２６０のディスプレイの画面サイズにあわせて、文書ファイルをタッチパネル付きディスプレイの表示領域内に表示させる。例えば、ディスプレイの画面サイズが原寸の文書ファイルの８０％の大きさであった場合、表示内容制御プログラム６０３は、原寸大の表示ではなく、原寸の８０％のサイズで文書ファイルを表示させる。
【０１５７】
次に、表示内容制御プログラム６０３は、タブレット端末２７０に対して、コンテンツ情報を送信する。
【０１５８】
次に、コンテンツ情報を受け取ったタブレット端末２７０の表示内容制御プログラム６０３は、同様にして、コンテンツ情報で指定される文書ファイルをタッチパネル付きディスプレイの表示領域内に表示させる。
【０１５９】
次に、タブレット端末２６０のユーザがコンテンツの拡大表示を指示する操作を行うと、操作情報生成プログラム６０５は、手書き入力のためのコンテンツの拡大指示であると判断し、コンテンツ拡大率算出プログラム６０６に、拡大率要求を出力する。
【０１６０】
コンテンツ拡大率算出プログラム６０６は、操作情報生成プログラム６０５から拡大率要求を受けると、文字サイズ測定プログラム６０４が生成した手書き文字サイズ情報と基準文字サイズ情報とに基づいて、表示拡大率を算出する。
【０１６１】
ここで、ユーザが指定した文書ファイルは、１ページの文書ファイルであり、この時点で、手書き文字は含まれていないため、コンテンツ拡大率算出プログラム６０６は、予め定められた値を基準文字サイズとして使用する。例えば、予め定められた値（即ち、基準文字サイズ）は、「１センチメートル」であるとする。
【０１６２】
コンテンツ拡大率算出プログラム６０６は、例えば、手書き文字サイズ情報（「２センチメートル」）を基準文字サイズ（「１センチメートル」）で除し、表示拡大率（「２（２００％）」）を算出する。
【０１６３】
次に、コンテンツ拡大率算出プログラム６０６は、算出した表示拡大率を拡大率情報として表示内容制御プログラム６０３に出力する。
【０１６４】
次に、表示内容制御プログラム６０３は、受け取った拡大率情報（「２」）に基づいて、表示中のコンテンツを２倍のサイズでディスプレイに表示させる。
【０１６５】
次に、タブレット端末２６０のユーザが文字を書き込む操作を行うと、操作情報生成プログラム６０５は、操作情報を生成して表示内容制御部２０３に出力する。
【０１６６】
次に、タブレット端末２６０の表示内容制御プログラム６０３は、受け取った操作情報に基づいて、タッチパネル付きディスプレイに手書き文字を表示させる。同時に、表示内容制御プログラム６０３は、操作情報をタブレット端末２７０に送信する。
【０１６７】
タブレット端末２７０の表示内容制御プログラム６０３は、受け取った操作情報に基づいて、タッチパネル付きディスプレイに手書き文字を表示させる。
【０１６８】
次に、タブレット端末２７０のユーザがコンテンツの拡大表示を指示する操作を行うと、操作情報生成プログラム６０５は、手書き入力のためのコンテンツの拡大指示であると判断し、コンテンツ拡大率算出プログラム６０６に、拡大率要求を出力する。
【０１６９】
コンテンツ拡大率算出プログラム６０６は、操作情報生成プログラム６０５から拡大率要求を受け取ると、文字サイズ測定プログラム６０４が生成した手書き文字サイズ情報と基準文字サイズ情報とに基づいて、表示拡大率を算出する。
【０１７０】
具体的には、拡大率要求を受け取ると、コンテンツ拡大率算出プログラム６０６は、文字サイズ測定プログラム６０４に対し、他者文字サイズ要求を出力する。
【０１７１】
次に、文字サイズ測定プログラム６０４は、コンテンツ上に存在するタブレット端末２６０のユーザの手書き文字の、原寸大のコンテンツにおけるサイズ（「１センチメートル」）を、測定する。次に、文字サイズ測定プログラム６０４は、測定した手書き文字のサイズを他者文字サイズ情報として、コンテンツ拡大率算出部３０６に出力する。
【０１７２】
コンテンツ拡大率算出プログラム６０６は、例えば、手書き文字サイズ（「１．５センチメートル」）を基準文字サイズ（他者文字サイズ（「１センチメートル」）で除し、表示拡大率（「１．５」）を算出する。次に、コンテンツ拡大率算出プログラム６０６は、算出した表示拡大率を表示内容制御プログラム６０３に出力する。
【０１７３】
そして、表示内容制御プログラム６０３は、表示中のコンテンツを１．５倍の拡大率でディスプレイに表示させる。具体的には、ユーザによるコンテンツの拡大表示を指示する操作が、タッチパネル付きディスプレイの特定の点にタッチペンを３秒程度接触させる操作であれ場合、表示内容制御プログラム６０３は、その特定の点を中心に、コンテンツを原寸の１．５倍のサイズで表示しなおす。
【０１７４】
以上に述べたように、本実施形態のタブレット端末２６０及びタブレット端末２７０は、例えば、ユーザがタッチパネル上を一定時間押下しただけで、表示しているコンテンツを適切なサイズで拡大表示させることができる効果を有する。この場合、適切なサイズとは、他者が書いた文字のサイズが、そのユーザが普段書きなれている大きさの、文字のサイズと同一になるような拡大率でコンテンツを表示した場合のサイズである。
【０１７５】
その理由は、文字サイズ測定プログラム６０４が測定した、他者の書いた文字のサイズを基準文字サイズとして、コンテンツ拡大率算出プログラム６０６が表示拡大率を算出するようにしたからである。
【０１７６】
以上、各実施の形態及び実施例を参照して本発明を説明したが、本発明は上記実施の形態に限定されるものではない。本発明の構成や詳細には、本発明のスコープ内で当業者が理解しえる様々な変更をすることができる。
【０１７７】
以上の各実施形態で説明した各構成要素は、必ずしも個々に独立した存在である必要はない。例えば、各構成要素は、複数の構成要素が１個のモジュールとして実現されたり、一つの構成要素が複数のモジュールで実現されたりしてもよい。また、各構成要素は、ある構成要素が他の構成要素の一部であったり、ある構成要素の一部と他の構成要素の一部とが重複していたり、といったような構成であってもよい。
【０１７８】
また、以上説明した各実施形態では、複数の動作をフローチャートの形式で順番に記載してあるが、その記載の順番は複数の動作を実行する順番を限定するものではない。このため、各実施形態を実施するときには、その複数の動作の順番は内容的に支障しない範囲で変更することができる。
【０１７９】
さらに、以上説明した各実施形態では、複数の動作は個々に相違するタイミングで実行されることに限定されない。例えば、ある動作の実行中に他の動作が発生したり、ある動作と他の動作との実行タイミングが部分的に乃至全部において重複していたりしていてもよい。
【０１８０】
さらに、以上説明した各実施形態では、ある動作が他の動作の契機になるように記載しているが、その記載はある動作と他の動作の全ての関係を限定するものではない。このため、各実施形態を実施するときには、その複数の動作の関係は内容的に支障のない範囲で変更することができる。また各構成要素の各動作の具体的な記載は、各構成要素の各動作を限定するものではない。このため、各構成要素の具体的な各動作は、各実施形態を実施する上で機能的、性能的、その他の特性に対して支障をきたさない範囲内で変更されて良い。
【０１８１】
尚、以上説明した各実施形態における各構成要素は、必要に応じ可能であれば、ハードウェアで実現されても良いし、ソフトウェアで実現されても良いし、ハードウェアとソフトウェアの混在により実現されても良い。
【０１８２】
また、各構成要素の物理的な構成は、以上の実施形態の記載に限定されることはなく、独立して存在しても良いし、組み合わされて存在しても良いしまたは分離して構成されても良い。
【産業上の利用可能性】
【０１８３】
本発明は、タッチパネルを搭載した、電話機などの通信機器、パーソナルコンピュータや携帯情報端末などのコンピュータ、テレビやゲーム機などの家電機器などを、利用して、コンテンツの表示・コンテンツへの描画を共有するシステムに適用できる。
【符号の説明】
【０１８４】
１０３    表示内容制御部
１０６    コンテンツ拡大率算出部
１１０    表示制御装置
１１１    表示制御装置
１３０    表示制御装置
１４０    表示制御装置
１６１    文字サイズ情報
１６２    基準文字サイズ情報
１９０    コンテンツ共有システム
２０１    コンテンツ指定部
２０２    サーバインタフェース部
２０３    表示内容制御部
２０５    操作情報生成部
２０８    タッチパネル
２０９    ディスプレイ
２１０    端末
２２０    端末
２３０    端末
２４０    端末
２５０    端末
２５１    操作情報
２６０    タブレット端末
２７０    タブレット端末
２９０    コンテンツ共有システム
３００    通信路
３０４    他者文字サイズ測定部
３０６    コンテンツ拡大率算出部
３１０    インターネット
４０４    文字サイズ測定部
４０６    コンテンツ拡大率算出部
４１０    端末
４２０    端末
４３０    端末
５００    サーバ
５０２    端末インタフェース部
５９０    コンテンツ共有システム
６０１    コンテンツ指定プログラム
６０３    表示内容制御プログラム
６０４    文字サイズ測定プログラム
６０５    操作情報生成プログラム
６０６    コンテンツ拡大率算出プログラム
７１０    ＣＰＵ
７２０    不揮発性記憶部
７３０    記憶部
７５０    通信部
【図１】
2012252459.tif 000003
【図２】
2012252459.tif 000004
【図３】
2012252459.tif 000005
【図４】
2012252459.tif 000006
【図５】
2012252459.tif 000007
【図６】
2012252459.tif 000008
【図７】
2012252459.tif 000009
【図８】
2012252459.tif 000010
【図９】
2012252459.tif 000011
【図１０】
2012252459.tif 000012
【図１１】
2012252459.tif 000013
【図１２】
2012252459.tif 000014